(57)【要約】      （修正有）【課題】放熱フィンユニットを軽量化することができ、デザイン性が高く、従来より放熱効果が向上する発光ダイオードランプを提供する。【解決手段】ランプヘッド３０の内部にはランプ制御器４０が設けられており、ランプ制御器４０の底面が上部接合蓋５０で固定され、上部接合蓋５０の底面には、内部に少なくとも一本の熱伝導管７０が嵌め設けられている放熱フィンユニット６０と、下部接合蓋８０と、が固定されており、トレー８５の底面には、熱伝導管７０に接合している発光ダイオードユニット９０が突出しており、下部接合蓋８０の外周面はトレー８５が収容されているランプケース８６と螺接している。【選択図】図３
0003144283.tif 000002
【実用新案登録請求の範囲】
【請求項１】
ランプヘッド３０と、ランプ制御器４０と、上部接合蓋５０と、放熱フィンユニット６０と、複数の熱伝導管７０と、下部接合蓋８０と、１以上の発光ダイオードユニット９０と、を有する発光ダイオードランプにおいて、
前記ランプヘッド３０は、底部に係合空間３１１が設けられており、
前記ランプ制御器４０は、前記ランプヘッド３０内に固定されており、
前記上部接合蓋５０は、前記ランプヘッド３０の前記係合空間３１１に嵌め込まれ、前記ランプ制御器４０の下面に接合しており、その上面が内側底面５１であり、前記内側底面５１には、複数の第一貫通孔５２と、外縁に近接している複数の接合ロッド５４と、が設けられており、
前記放熱フィンユニット６０は、前記上部接合蓋５０の底面に固定されており、複数の放熱フィン６１を組み合わせて構成され、その中心には、前記第一貫通孔５２と対応して設けられた貫通孔６４及び前記貫通孔６４の末端に設けられた穴６４１が複数開設されており、その底端に空間６５が設けられており、
前記下部接合蓋８０は、前記放熱フィンユニット６０の底端に設けられた前記空間６５に固定されており、内部が内側空間８１であり、前記内側空間８１の上面には、前記第一貫通孔５２と対応している第二貫通孔８２が複数開設されており、前記第二貫通孔８２の他端に嵌合体８２１が設けられており、その外周面がランプケース８６と螺合しており、前記ランプケース８６は、内部にトレー８５が設けられており、収容空間８６２を有し、前記トレー８５の端面の外縁に近接している箇所では、複数の熱伝導管に対応している矩形穴８５１が開設されており、
前記熱伝導管７０は、前記放熱フィンユニット６０の末端に設けられた前記下部接合蓋８０の前記第二貫通孔８２及び複数の前記貫通孔６４に貫入しており、一端が前記上部接合蓋５０の前記第一貫通孔５２に貫入しており前記ランプ制御器４０と電気的に連接している突起部７１であり、他端が傾斜板７２であり、
前記発光ダイオードユニット９０は、前記熱伝導管７０に設けられた前記傾斜板７２の底部に固定されており、前記トレー８５の底面から突出しており、前記発光ダイオードユニット９０は、少なくとも、前記傾斜板７２の底部に貼り付けられている熱伝導ブロック９１と、前記熱伝導ブロック９１の底部に設けられている発光ダイオード９２と、前記熱伝導ブロック９１が締付けられている基板９３と、を含むことを特徴とする
発光ダイオードランプ。
【請求項２】
複数の前記放熱フィン６１の末端には尖鋭部６１１が設けられており、隣接する前記放熱フィン６１間には間隙６１２が存在していることを特徴とする、請求項１に記載の発光ダイオードランプ。
【請求項３】
前記熱伝導管７０を少なくとも一本有することを特徴とする、請求項１に記載の発光ダイオードランプ。
【考案の詳細な説明】
【技術分野】
【０００１】
本考案は、発光ダイオードランプに関するものである。
【背景技術】
【０００２】
従来、市販されている発光ダイオードランプは、消耗電力が極めて少ないので、従来の電灯との交換が推進されている。例えば、装飾用、営業用、照明用や交通信号用等の分野では、発光ダイオードランプが広範に使用されている。
しかし、従来の発光ダイオードランプ１０は、少ない消耗電力で発光することができるが、発光中は、高熱が発生する。また、発光ダイオードランプ１０の交換性を向上するために、図１に示すように、発光ダイオードランプ１０の中段には保護ケース１１が設けられており、ユーザが手で保護ケース１１を握って発光ダイオードランプ１０を交換することができる。しかし、保護ケース１１によって発光ダイオードランプ１０の内部の高熱が発散できなくなり、これにより、発光ダイオードランプ１０の寿命が短くなる欠点があった。
【０００３】
また、図２を参照する。図２は他の従来の発光ダイオードランプ２０の正面図である。発光ダイオードランプ２０は、熱伝導板２２に固定されており、図２に示すように、熱伝導板２２の他端は等間隔に配列されている放熱片２１に結合されており、発光ダイオードランプ２０が使用中の場合は、発生した高熱が熱伝導板２２に吸収されて、各放熱片２１に伝導され放熱することができる。しかし、各放熱片２１が高温になると、熱を充分に発散することができなくなる。このため、発光ダイオードランプ２０の寿命が短くなる欠点があった。
【考案の開示】
【考案が解決しようとする課題】
【０００４】
本考案の主な目的は、熱伝導管及び放熱フィンユニットの組合せによる熱交換により、放熱効果を更に向上させる発光ダイオードランプを提供することにある。
【課題を解決するための手段】
【０００５】
本考案の請求項１に記載の発光ダイオードランプによると、ランプヘッド３０と、ランプ制御器４０と、上部接合蓋５０と、放熱フィンユニット６０と、複数の熱伝導管７０と、下部接合蓋８０と、１以上の発光ダイオードユニット９０と、を有する発光ダイオードランプにおいて、前記ランプヘッド３０は、底部に係合空間３１１が設けられており、前記ランプ制御器４０は、前記ランプヘッド３０内に固定されており、前記上部接合蓋５０は、前記ランプヘッド３０の前記係合空間３１１に嵌め込まれ、前記ランプ制御器４０の下面に接合しており、その上面が内側底面５１であり、前記内側底面５１には、複数の第一貫通孔５２と、外縁に近接している複数の接合ロッド５４と、が設けられており、前記放熱フィンユニット６０は、前記上部接合蓋５０の底面に固定されており、複数の放熱フィン６１を組み合わせて構成され、その中心には、前記第一貫通孔５２と対応して設けられた貫通孔６４及び前記貫通孔６４の末端に設けられた穴６４１が複数開設されており、その底端に空間６５が設けられており、前記下部接合蓋８０は、前記放熱フィンユニット６０の底端に設けられた前記空間６５に固定されており、内部が内側空間８１であり、前記内側空間８１の上面には、前記第一貫通孔５２と対応している第二貫通孔８２が複数開設されており、前記第二貫通孔８２の他端に嵌合体８２１が設けられており、その外周面がランプケース８６と螺合しており、前記ランプケース８６は、内部にトレー８５が設けられており、収容空間８６２を有し、前記トレー８５の端面の外縁に近接している箇所では、複数の熱伝導管に対応している矩形穴８５１が開設されており、前記熱伝導管７０は、前記放熱フィンユニット６０の末端に設けられた前記下部接合蓋８０の前記第二貫通孔８２及び複数の前記貫通孔６４に貫入しており、一端が前記上部接合蓋５０の前記第一貫通孔５２に貫入しており前記ランプ制御器４０と電気的に連接している突起部７１であり、他端が傾斜板７２であり、前記発光ダイオードユニット９０は、前記熱伝導管７０に設けられた前記傾斜板７２の底部に固定されており、前記トレー８５の底面から突出しており、前記発光ダイオードユニット９０は、少なくとも、前記傾斜板７２の底部に貼り付けられている熱伝導ブロック９１と、前記熱伝導ブロック９１の底部に設けられている発光ダイオード９２と、前記熱伝導ブロック９１が締付けられている基板９３と、を含むことを特徴とする。
【０００６】
本考案の請求項２に記載の発光ダイオードランプによると、複数の前記放熱フィン６１の末端には尖鋭部６１１が設けられており、隣接する前記放熱フィン６１間には間隙６１２が存在していることを特徴とする。
【０００７】
本考案の請求項３に記載の発光ダイオードランプによると、前記熱伝導管７０を少なくとも一本有することを特徴とする。
【考案の効果】
【０００８】
本考案の発光ダイオードランプによれば、次のような効果がある。
（１）複数の熱伝導管の傾斜板の底部に設けられた発光ダイオードが点灯しているときに発生する高熱に対して、熱伝導管及び放熱フィンユニットの組合せによる熱交換により、従来よりも放熱効果が向上する。
（２）本考案に係る複数の放熱フィンの末端は尖鋭に形成されるので、放熱フィンユニットを軽量化することができる。また、デザイン性が高い。そして、放熱フィン間に間隙が存在しているので、放熱可能な熱量が増加する。
【考案を実施するための最良の形態】
【０００９】
以下、本考案の実施の形態を図面に基づいて説明する。
まず、図３、図４及び図６Ａを参照する。本考案に係る発光ダイオードランプは、ランプヘッド３０と、ランプ制御器４０と、上部接合蓋５０と、放熱フィンユニット６０と、複数の熱伝導管７０と、下部接合蓋８０と、複数の発光ダイオードユニット９０と、を少なくとも含む。
ランプヘッド３０は、収容空間３１と、底部に設けられた係合空間３１１（図６Ｂ参照）と、を有する。これにより、ランプ制御器４０と上部接合蓋５０とを設けることができる。また、ねじ部３２に近接している外縁に空気通し穴３３が複数に開設されており、その頂部にねじ部３２が設けられており、ねじ部３２によりランプ台３４と螺合して電気的に連接することができる。
【００１０】
ランプ制御器４０は、ランプヘッド３０の収容空間３１内に固定されている。
上部接合蓋５０は、ランプヘッド３０の係合空間３１１（図６Ｂ参照）に嵌め込まれており、ランプ制御器４０の下面に接合されており、その上面が内側底面５１であり、内側底面５１の中心には、少なくとも一つの第一貫通孔５２と、少なくとも一つの貫通孔５３と、が開設されており、その外縁に近接している箇所に複数の接合ロッド５４が設けられている。
放熱フィンユニット６０は、複数の放熱フィン６１を組合せて構成され上部が狭く下部が広い円柱体形状の放熱体であり、上部接合蓋５０に開設された貫通孔５３と対になっている締付穴６２に固定子６３（例えばネジなど）を挿通して上部接合蓋５０の底端にねじ込むと、これらが固定されるようになっている。なお、締付穴６２同士の間には第一貫通孔５２と対応している貫通孔６４が開設されており、各貫通孔６４の末端には穴６４１が設けられており、また、放熱フィン６１の末端が尖鋭部６１１に形成されている。これにより、放熱フィンユニットを軽量化することができる。また、デザイン性が高い。そして放熱フィン６１同士の間に間隙６１２が存在しているので、放熱可能な熱量が増加する。一方、放熱フィンユニット６０の底端には下部接合蓋８０を螺合可能な空間６５（図６Ｂ参照）が設けられている。
【００１１】
熱伝導管７０は、放熱フィンユニット６０の末端に設けられた下部接合蓋８０の第二貫通孔８２及び複数の貫通孔６４に貫入している。熱伝導管７０は少なくとも一本を有する。なお、本実施例では、熱伝導管７０を三本有している。熱伝導管７０の内部は、固体であってもいいし、中空であってもよい。一端が上部接合蓋５０の第一貫通孔５２に貫入し、突起部７１がランプ制御器４０と電気的に連接している。他端は集光機能を持つ傾斜板７２であり、傾斜板７２の底部には発光ダイオードユニット９０が固定されている。
下部接合蓋８０は、放熱フィンユニット６０の底端に設けられた空間６５に螺合されている。内部は内側空間８１が設けられており、内側空間８１の上面には、複数の第一貫通孔５２に対応している複数の第二貫通孔８２が開設されている。また、第二貫通孔８２の他端に嵌合体８２１が延びており、嵌合体８２１が貫通孔６４の末端に設けられた穴６４１に係止されており、なお、第二貫通孔８２同士の間には締付穴８２２が開設されており、締付子８３（例えばネジなど）を締付穴８２２にねじ込むと、下部接合蓋８０が放熱フィンユニット６０の底端に固定されるようになる。一方、下部接合蓋８０の外周面には、ランプケース８６に設けられたねじ山８６１と螺接する螺旋８４が設けられている。ランプケース８６の内部にはトレー８５を収容する収容空間８６２が設けられており、トレー８５は、円盤形状を呈し、その端面の外縁に近接している箇所では熱伝導管７０と対応している矩形穴８５１が開設されている。各矩形穴８５１の中央には、下部接合蓋８０に開設された締付穴８２２に対応している貫通孔８５２が開設されている。
【００１２】
発光ダイオードユニット９０は、熱伝導管７０に設けられた傾斜板７２の底部に固定されている。トレー８５の底面から突出しており、発光ダイオードユニット９０は、少なくとも、傾斜板７２の底部に貼り付けられている熱伝導ブロック９１と、熱伝導ブロック９１の底部に設けられている発光ダイオード９２と、熱伝導ブロック９１が締付けられている基板９３と、を含み、発光ダイオード９２は、一側に極板９２１が設けられており、他側に発光ダイオード９２２が設けられている。発光ダイオード９２２には保護枠９２３が環設されており、基板９３は回路を有するプリント基板であり、その上で発光ダイオード９２を嵌め込むための貫通孔９３１が開設されており、その一側には直列接続回路（図示せず）が設けられている。直列接続回路により発光ダイオード９２２が直列接続されているため、光度が増幅する。また、基板９３には貫通孔９３２が複数開設されており、固定子９３３を貫通孔９３２に貫入すると、基板９３を熱伝導ブロック９１に締付けることができる。なお、熱伝導ブロック９１は、一定の厚さを有する熱伝導係数が大きい金属であり、発光ダイオード９２の極板９２１の一側に貼り付けられ、発光ダイオード９２の点灯による熱を発散することができる。また、熱伝導ブロック９１には締付穴９１１が複数開設されており、締付穴９１１に固定子９３３をねじ込むと、熱伝導ブロック９１と基板９３が結合するようになる。
【００１３】
また、図５、図６Ａ及び図６Ｂを参照する。本考案は、ランプヘッド３０の内部にランプ制御器４０が設けられており、ランプ制御器４０の底面が上部接合蓋５０に固定されている。また、上部接合蓋５０の底面には、内部に少なくとも一本の熱伝導管７０が嵌め込まれている放熱フィンユニット６０と、下部接合蓋８０と、が固定されている。また、トレー８５の底面には、熱伝導管７０に接合している発光ダイオードユニット９０が突出しており、下部接合蓋８０の外周面はトレー８５が収容されているランプケース８６と螺接している。上記のような構成によって、熱伝導管７０の他端に設けられた傾斜板７２の底部に螺設されている発光ダイオードユニット９０の点灯によって発生する熱は、図６Ｂに示すように、熱伝導管７０及び放熱フィンユニット６０の組合せによる熱交換によって放熱され、従来よりも放熱効果が向上する。
【図面の簡単な説明】
【００１４】
【図１】従来の発光ダイオードランプの斜視図である。
【図２】他の従来の発光ダイオードランプの正面図である。
【図３】本考案に係る発光ダイオードランプの分解斜視図である。
【図４】本考案に係る発光ダイオードランプの組合せ状態を示す斜視図である。
【図５】本考案に係る発光ダイオードランプの正面図である。
【図６Ａ】本考案に係る発光ダイオードランプの上面図である。
【図６Ｂ】図６Ａにおける６Ｂ−６Ｂ線の矢視図及び放熱方法を示す概略図である。
【符号の説明】
【００１５】
１０    発光ダイオードランプ
１１    保護ケース
２０    発光ダイオードランプ
２１    放熱片
３０    ランプヘッド
３１    収容空間
３２    螺接部
４０    ランプ制御器
５０    上部接合蓋
５１    内側底面
５２    第一貫通孔
５３    貫通孔
５４    接合ロッド
６０    放熱フィンユニット
６１    放熱フィン
６２    締付穴
６４    貫通孔
６５    空間
７０    熱伝導管
７１    突起部
７２    傾斜板
８０    下部接合蓋
８１    内側空間
８２    第二貫通孔
８４    螺旋
８５    トレー
８６    ケース
９０    発光ダイオードユニット
９１    熱伝導ブロック
９２    発光ダイオード
９３    基板
３１１  係合空間
６１１  尖鋭部
６１２  間隙
６４１  穴
８２１  嵌合体
８２２  締付穴
８５１  矩形穴
８５２  貫通孔
８６２  収容空間
９２３  保護枠
９３１  貫通孔
【図１】
0003144283.tif 000003
【図２】
0003144283.tif 000004
【図３】
0003144283.tif 000005
【図４】
0003144283.tif 000006
【図５】
0003144283.tif 000007
【図６Ａ】
0003144283.tif 000008
【図６Ｂ】
0003144283.tif 000009